(57)【特許請求の範囲】
【請求項１】
液体洗浄溶剤であって、この洗浄溶剤の50〜80パーセントの濃度で存在するテルペン炭化水素、
この洗浄溶剤の20〜50パーセントの濃度で存在する、前記テルペン炭化水素と相溶性のテトラヒドロフラン、及び
ブチル化ヒドロキシトルエン
を含む液体洗浄溶剤。
【請求項２】
前記テルペン炭化水素がｄ−リモネンである、請求項１記載の液体洗浄溶剤。
【請求項３】
前記ブチル化ヒドロキシトルエンがテトラヒドロフランの１パーセント未満の濃度で存在する、請求項１記載の液体洗浄溶剤。
【請求項４】
前記ブチル化ヒドロキシトルエンがテトラヒドロフランの0.1パーセント未満の濃度で存在する、請求項３記載の液体洗浄溶剤。
【請求項５】
前記溶剤がディスペンサー内に含まれる、請求項１記載の液体洗浄溶剤。
【請求項６】
前記ディスペンサーがペンディスペンサーである、請求項５記載の液体洗浄溶剤。
【請求項７】
ペンディスペンサー、及び
液体洗浄溶剤
を含み、前記液体洗浄溶剤が、この洗浄溶剤の50〜80パーセントの濃度で存在するテルペン炭化水素、この洗浄溶剤の20〜50パーセントの濃度で存在する、前記テルペン炭化水素と相溶性のテトラヒドロフラン、及びブチル化ヒドロキシトルエンを含み、前記テルペン炭化水素、テトラヒドロフラン及びブチル化ヒドロキシトルエンが前記ペンディスペンサー内に含まれる、洗浄装置。
【請求項８】
前記テルペン炭化水素がｄ−リモネンである、請求項７記載の洗浄装置。
【請求項９】
前記ブチル化ヒドロキシトルエンがテトラヒドロフランの１パーセント未満の濃度で存在する、請求項７記載の洗浄装置。
【請求項１０】
前記ブチル化ヒドロキシトルエンがテトラヒドロフランの0.1パーセント未満の濃度で存在する、請求項９記載の洗浄装置。
【発明の詳細な説明】
【０００１】
【発明の属する技術分野】
本発明は、洗浄溶剤に関する。詳細には、本発明は、溶剤の適用に用いるための、ペンの形態の適用容易な洗浄溶剤及びディスペンサーに関する。
【０００２】
【従来の技術】
様々な溶剤が産業上又は非産業上の用途で用いられている。これらの公知の溶剤クリーナーの多くは強力であり、それゆえ多くのプラスチックもしくは他のポリマー材料に用いることができない。これらの材料はプラスチックを分解させ、プラスチックの構造破壊、美的破壊等をもたらすことが見出されている。他のタイプの洗浄溶剤は効果がなく、あるいはほとんど効果がない。
【０００３】
多くの公知の溶剤が広い使用範囲を有していないことも見出されている。すなわち、１つの特定のタイプの溶剤は、例えばガムやラベルの除去に有効であるが、例えば産業用コーティングの除去には有効でないことがある。一方、産業用コーティングの除去に有効である溶剤は接着剤除去には強力すぎることがある。
【０００４】
そのような溶剤の多くは使用容易な容器では使用できないことも見出された。すなわち、そのような溶剤はスプレーもしくはブラシによって適用されるか、又は金属缶のような容器に入れられる。そのような溶剤を使用する者は、例えば接着剤の小さな領域を除去する場合のような状況ではスプレーによる適用が有効でないことを認識している。一方、ブラシによる適用は溶剤を離れた部位にもしくは特定の部位に適用するには有効でない。
【０００５】
公知の溶剤として有用なものは、ペンタイプのディスペンサーである。この用材はｄ−リモネンより形成され、コネチカット州のBristolのMicro Care Corporationより商標Tidy Penとして入手可能なものである。
【０００６】
【発明が解決しようとする課題】
従って、接着剤除去からコーティング除去まで様々な用途に用いることができる洗浄溶剤に対する要求がある。望ましくは、そのような溶剤は使用容易なディスペンサーである。
【０００７】
【課題を解決するための手段】
液体洗浄溶剤は、この洗浄溶剤の約50〜約80パーセントの濃度で存在するテルペン炭化水素、及びこの洗浄溶剤の約20〜約50パーセントの濃度で存在する、前記テルペン炭化水素と相溶性のテトラヒドロフランより形成される。
【０００８】
好ましいテルペン炭化水素はｄ−リモネンである。好ましくは、この液体洗浄溶剤は、この洗浄溶剤の約１パーセント未満の濃度で存在するブチル化ヒドロキシトルエンを含む。最も好ましくは、このブチル化ヒドロキシトルエンは洗浄用材の約0.1パーセント未満の濃度で存在する。
【０００９】
好ましい溶剤はディスペンサー内に提供される。好ましいディスペンサーはペンディスペンサーである。
【００１０】
本発明のこれら及び他の特徴及び利点は、以下の説明から明らかであろう。
【００１１】
【発明の実施の形態】
本発明は様々な形態で実施可能であるが、以下に好ましい態様を示す。これは本発明の例示であり、これに本発明を限定するものではない。
【００１２】
本発明の液体洗浄溶剤は、この洗浄溶剤の約50パーセント〜約80パーセントの濃度で存在するテルペン炭化水素、及びこのテルペン炭化水素と相溶性のテトラヒドロフラン（ＴＨＦ）を含む。テトラヒドロフランは洗浄溶剤の約20パーセント〜約50パーセントの濃度で存在する。本発明の洗浄溶剤において、ＴＨＦは、このＴＨＦの約0.1パーセント未満の濃度のブチル化ヒドロキシトルエンで置換されている。
【００１３】
本発明の洗浄溶剤において、テルペン炭化水素はＤ−リモネンである。図１には、本発明の原理を用いる液体洗浄溶剤を有する洗浄装置１０を示す。この洗浄装置１０はペンディスペンサーであり、以下に詳細に説明する。
【００１４】
本発明の液体洗浄溶剤は様々な用途に有効であることが見出された。例えば、本発明の洗浄溶剤は、対象物からラバルを剥がした後に残っている接着剤を除去するための接着剤除去剤として有効であることが見出された。また、本発明の液体洗浄溶剤はより強力な溶剤特性を必要とする用途において用いることができることが見出された。例えば、本発明の溶剤はコンフォーマルコーティングを除去できることが見出された。当業者はコンフォーマルコーティングが回路板アッセンブリー（その上のソリッドステートデバイスを含む）を環境に対する暴露から保護するために回路板に適用されるコーティングであることを知っているであろう。
【００１５】
また、回路板の必要なメンテナンスを行うため、このコンフォーマルコーティングは完全に除去しなければならないことも知られている。コンフォーマルコーティングは様々な保護剤を含んでいる。通常、コンフォーマルコーティングはアクリルベース、ウレタンベース又はシリコーンベース化合物である。アクリルベース化合物は優れた誘電保護を与え、ウレタンベースコーティングは優れた靭性を示し、シリコーンベースコーティングは環境からの優れた保護を与える。
【００１６】
本発明の液体洗浄溶剤はこのコンフォーマルコーティングについて優れた「除去」特性を示すことが見出された。
【００１７】
ＴＨＦが強力な溶剤であり、強力な臭気を伴うことも当業者は知っているであろう。また、ＴＨＦは密閉されていないもしくは換気された場所で用いることが必要である。さらに、ＴＨＦはその強力な臭気のため、産業上の利用以外では使用が敬遠されている。
【００１８】
一方、テルペン炭化水素は一般に、それほど強力な溶剤特性を有しておらず、臭気も強くない。そのようなテルペンの多くは製油もしくは樹脂及びバルサムより形成され、これらの油は芳香性であることが見出されている。すなわち、これらの油は針葉樹から柑橘系にわたる芳香を有している。従って、この溶剤は非産業用途においてより魅力がある。しかしながら、これらの溶剤の欠点の１つは、その溶剤特性、例えば強度が弱いことである。
【００１９】
このため、テルペン炭化水素とＴＨＦの混合物が産業用及び非産業用溶剤に望ましい強度を与え、同時に好ましい芳香性を維持することが見出された。約50パーセント〜約80パーセントのテルペン濃度及び約20パーセント〜約50パーセントの濃度のＴＨＦを有する洗浄溶剤が必要な溶剤強度を与え、好ましい芳香性を保つことが見出された。好ましい洗浄溶剤において、テルペン、好ましくはｄ−リモネンは約80パーセント存在し、ＴＨＦは約20パーセント存在する。最も好ましい洗浄溶剤において、ＴＨＦは約１パーセント未満の濃度、最も好ましくは約0.1パーセント未満の濃度のブチル化ヒドロキシトルエンにより置換されている。
【００２０】
本発明の原理を用いる洗浄溶剤をプラスチックに適用した場合に、プラスチックの分解が許容されるレベルであるかどうかを調べるため、様々なプラスチックが評価された。この評価において、長さ１インチ（2.54cm)の幅及び厚さの異なるプラスチックのサンプルを液体洗浄溶剤中に15分間浸漬した。次いでサンプルを乾燥させ、最終寸法を測定した。ＰＤＬ耐性評価チャートに基づいて各サンプルを区分した。以下の表１はこの評価の結果を示す。
【００２１】
評価したサンプルは、アクリロニトリルブタジエンスチレン（ＡＢＳ）、ブナＮ、エチレンプロピレンジエンモノマー（ＥＰＤＭ）、グラファイト、Lexan(商標）、ネオプレン、Noryl(商標）、ポリプロピレン、ポリ塩化ビニル（ＰＶＣ）、シリコーンゴム、Teflon(商標）、及びViton(商標）を含む。
【００２２】
【表１】
0004373079.tif 000002
【００２３】
上記表１において、第１の列は評価したプラスチックのタイプを示す。ここで市販もしくは商品名（商標）を示している。第２、第３及び第４の列は当初及び最終質量並びに本発明の液体洗浄溶剤に浸漬する前及び浸漬後の質量変化（％）を示す。第５、第６及び第７の列のデータは当初及び最終サンプル厚さ並びに厚さ変化を示し、第８、第９及び第１０の列のデータは当初及び最終幅並びに浸漬前及び浸漬後の幅変化を示す。第１１列はサンプルの適合性及び許容性に基づく区分であり、ここでサンプルは１（適合性及び許容性に乏しい）、５（適合性もしくは許容性良好）又は１０（適合性もしくは許容性に優れている）に区分した。
【００２４】
表１のデータより明らかなように、様々なプラスチックが本発明の洗浄溶剤により優れたもしくは良好な適合性を示す。特に、ブナＮ、ＥＰＤＭ、ネオプレン及びシリコーンゴムは許容されない区分（区分１）を示した。一方、他のプラスチックはすべて本発明の洗浄溶剤により許容される適合性を示した。また、グラファイト、Lexan(商標）、ポリプロピレン、ＰＶＣ、テフロン（商標）及びViton(商標）はすべて、サンプルの質量変化、厚さ変化及び幅変化が本質的に０パーセントという優れた特性を示した。
【００２５】
再び図１を参照し、本発明の洗浄溶剤Ｓを用いるためのディスペンシングペン１０は公知のデザインである。このペン１０は洗浄溶剤Ｓを貯蔵する密閉されたチャンバー１４を収納する本体１２を含む。ニブ１６はフェルトのような多孔質材料より形成され、バイアスバルブアッセンブリー１８により本体１２に取り付けられる。ニブ１６はマーキング末端２０及び供給末端２２を有し、ここから溶剤Ｓがマーキング末端２０に供給される。典型的なペン１０はペン１０が乾燥しないようにするためキャップ２４を含む。このようなマーキングペン１０はニュージャージー州のRoselandのITW Mark-Texより市販入手可能である。
【００２６】
ニブ１６は本体１２及びバルブアッセンブリー１８から外側に向かって突出している。ニブ１６の供給末端２２はバルブアッセンブリー１８に配置されている。ニブ１６に対して下側圧力が加えられると、ニブ１６はバルブアッセンブリー１８を開き、溶剤Ｓをチャンバー１４からバルブ１８に流し、ニブ供給末端２２と接触させる。これによりニブ１６は溶剤Ｓにより飽和し、ニブ１６を介してマーキング末端２０に流れる。マーキング末端２０と物品が接触すると、溶剤Ｓは物品の所望の領域に供給される。
【図面の簡単な説明】
【図１】本発明の原理を用いる液体洗浄溶剤を用いるためのペンの分解図である。
【符号の説明】
１０…ペン
１２…本体
１４…チャンバー
１６…ニブ
１８…バルブ
２０…マーキング末端
２２…供給末端
２４…キャップ
【図１】
0004373079.tif 000003